(57)【特許請求の範囲】
【請求項１】
レーザ光を用いて光学ディスクに対し記録及び／又は再生を行うディスク装置をインシュレータを介してメカデッキシャーシに支持固定するディスク装置の支持固定機構であって、
上記ディスク装置のベースシャーシに所要数のインシュレータを取付け、
上記メカデッキシャーシに、上記インシュレータが位置決め支持される位置決め受部を設け、
上記インシュレータは、第１の面の中心部に設けた第１の凹部と当該第１の面と反対側の第２の面の中心部に設けた第２の凹部とを有し、
上記位置決め受部は、上記インシュレータの上記第１の凹部に嵌合される中心軸部と上記第２の凹部に嵌合される押え部とを有し、
上記インシュレータが支持される受部を上記中心軸部から放射状に設け、
上記受部に載置された上記インシュレータを上記中心軸部と上記押え部とで挟持した
ディスク装置の支持固定機構。
【請求項２】
請求項１記載のディスク装置の支持固定機構において、
上記メカデッキシャーシに設けられる上記位置決め受部の上記インシュレータを支持する受部を放射状のリブにより形成した
ディスク装置の支持固定機構。
【請求項３】
請求項１記載のディスク装置の支持固定機構において、
上記メカデッキシャーシに設けられる上記位置決め受部の上記インシュレータを支持する受部を略十字状のリブにより形成した
ディスク装置の支持固定機構。
【請求項４】
請求項１、２又は３記載のディスク装置の支持固定機構において、
上記インシュレータを支持する受部は上記メカデッキシャーシと一体に鋳造により形成した
ディスク装置の支持固定機構。
【発明の詳細な説明】
【０００１】
【発明の属する技術分野】
本発明は、レーザ光を用いて光学ディスクに対して記録及び／又は再生を行うディスク装置をメカデッキシャーシに支持固定するディスク装置の支持固定機構に関する。
【０００２】
【従来の技術】
レーザ光を用いて光学ディスクに対して記録及び／又は再生を行うディスク装置は、確実に記録及び／又は再生を行うためには外部からの振動の伝達を防止する必要があり、このためディスク装置をメカデッキシャーシに固定するにはダンパーとしてゴムのインシュレータを介在して支持固定している。
【０００３】
【発明が解決しようとする課題】
ところが、従来のディスク装置のメカデッキシャーシに対する固定は、ゴムのインシュレータをメカデッキシャーシ面に圧接してディスク装置を支持していたが、この方法では、インシュレータが必要以上に拘束されるので、そのダンパー効果を充分に発揮することはできず耐振特性が充分ではなかった。
【０００４】
そこで、本発明はかかる点に鑑みてなされたもので、ディスク装置のインシュレータによる耐振特性を向上させることを目的とする。
【０００５】
【課題を解決するための手段】
上記した課題を解決するために本発明は、レーザ光を用いて光学ディスクに対し記録及び／又は再生を行うディスク装置をインシュレータを介してメカデッキシャーシに支持固定するディスク装置の支持固定機構に関する。ディスク装置のベースシャーシに所要数のインシュレータを取付け、メカデッキシャーシに、インシュレータが位置決め支持される位置決め受部を設け、インシュレータは、第１の面の中心部に設けた第１の凹部と第１の面と反対側の第２の面の中心部に設けた第２の凹部とを有し、位置決め受部は、インシュレータの第１の凹部に嵌合される中心軸部と第２の凹部に嵌合される押え部とを有し、インシュレータが支持される受部を中心軸部から放射状に設け、受部に載置されたインシュレータを中心軸部と押え部とで挟持したものである。
【０００６】
上記構成において、メカデッキシャーシに設けられる位置決め受部のインシュレータを支持する受部を放射状のリブにより形成した構成とすることができる。
【０００７】
上記構成において、メカデッキシャーシに設けられる位置決め受け部のインシュレータを支持する受部を略十字状のリブにより形成した構成とすることが好ましい。
【０００８】
さらに、上記構成において、インシュレータを支持する受部はメカデッキシャーシと一体に鋳造により形成した構成とすることができる。
【０００９】
従って、本発明によるディスク装置の支持固定機構にあっては、ディスク装置を支持するインシュレータはメカデッキシャーシ面には直接圧接されず位置決め受部の放射状の受部で受けられることにより、拘束が適度に緩められてダンパー効果が引き出されることになり、ディスク装置のインシュレータによる耐振特性が向上される。
【００１０】
【発明の実施の形態】
以下、本発明の実施の形態を図１〜図６を参照して説明する。
この実施の形態は、本発明をＤＶＤプレーヤーにおいて、ディスク装置の取付部に適用したものである。図１は、本発明を適用した一例のＤＶＤプレーヤーを示し、図２は、図１に示すＤＶＤプレーヤーにおけるディスク装置のキャビネットシャーシ側の取付部に対する分解斜視図を示し、図３は、図２に示すディスク装置の支持部のインシュレータを取外した状態の斜視図を示し、図４は、ディスク装置の支持部にインシュレータを取付けた状態の斜視図を示し、図５は、キャビネットシャーシ側の取付部の一例の斜視図を示し、図６は、ディスク装置の支持部をキャビネットシャーシ側の取付部に取付けた状態の断面図を示す。
【００１１】
図１に示すＤＶＤプレーヤーは携帯可能なポータブルＤＶＤプレーヤーを示し、このＤＶＤプレーヤー１は、本体キャビネット２に液晶ディスプレイ３を配置した蓋体４が、所要の角度で開蓋できるように起伏可能に軸着されて、この蓋体４にはスピーカ５が内蔵されている。
【００１２】
本体キャビネット２は、キャビネットシャーシ（メカデッキシャーシ）としての下ハーフ２ａとこの下ハーフ２ａの上側に合体される上ハーフ２ｂとから構成されて、上ハーフ２ｂの上面側には、ディスク収容凹部６が形成され、このディスク収容凹部６の上面側を開閉する蓋７が取付けられており、この蓋７をディスク収容凹部６の上面側に閉蓋嵌合することにより上ハーフ２ｂの上面側は偏平状になる。
【００１３】
この本体キャビネット２の上ハーフ２ｂの上面側には、操作キー８と蓋開釦９が配置され、前面側は下ハーフ２ａの底面側の前縁部まで延長されて各操作釦１０、電源釦１１及び表示部１２が配置されており、本体キャビネット２の側面側、すなわち、下ハーフ２ａと上ハーフ２ｂの側面部に跨がって各入出力ジャック１３が配置されている。
【００１４】
そして、この本体キャビネット２内には、図２に示すように回路部品が実装された回路基板１４が配置され、光学ディスクを記録及び／又は再生するディスク装置１５が内蔵されている。
【００１５】
このディスク装置１５は、略長方形の枠状に形成されたベースシャーシ１６に、その一端部側にスピンドルモータにより回転駆動されるターンテーブル１７が配置され、このターンテーブル１７に対して接離方向に移動可能に光学ピックアップ装置１８を備えて構成されている。この光学ピックアップ装置１８はレーザ光を用いて光学ディスクの記録及び／又は再生を行うもので、ターンテーブル１７にチャッキングされて回転駆動される光学ディスクに対して、２軸アクチュエータにより光学ディスクと直交する方向のフォーカス方向及び光学ディスクと平行する方向のトラッキング方向に駆動される対物レンズを通して半導体レーザにより放射されるレーザ光を照射するように構成されて光ディスクのターンテーブル１７による回転駆動とほぼ同時に光学ディスクに対して半径方向に移送駆動される。
【００１６】
このディスク装置１５は、キャビネットシャーシとしての下ハーフ２ａの内面側に取付けられて上ハーフ２ｂのディスク収容部６の底面部６ａに形成された開口部６ｂに臨んでいる。
【００１７】
このディスク装置１５を本体キャビネット２内に内蔵し、固定するには、ベースシャーシ１６とキャビネットシャーシとしての下ハーフ２ａとの間に複数（本例では３個）のインシュレータ２０を介在してダンパー効果を持たせている。このためベースシャーシ１６には、インシュレータ２０を取付けるために図２〜図４に示すように周面の少なくとも３個所に水平に取付片２１を突設してこの取付片２１にインシュレータ２０を図２及び図４に示すように嵌合して取付けている。
【００１８】
このインシュレータ２０はゴム或いは弾性を保有する樹脂材により成形されるもので、図３に示すように所要の厚みを有する円盤状で周面に嵌合溝部２０ａを形成し、上下面の中心部に円形凹部２０ｂ，２０ｃを形成してこの円形凹部２０ｂ，２０ｃを中心として弧状の深溝２０ｄ，２０ｅを形成してある（図６参照）。一方、取付片２１は、インシュレータ２０の嵌合溝部２０ａの径と略同径の嵌合孔２１ａを形成し、前縁から嵌合孔２１ａにかけて所要幅の開口部２１ｂを形成してあり、この取付片２１に前述したインシュレータ２０を嵌合溝部２０ａにおいて開口部２１ｂから圧入して嵌合孔２１ａに嵌合することにより取付ける。
【００１９】
このようにディスク装置１５のベースシャーシ１６に取付けられるインシュレータ２０が対応するキャビネットシャーシとしての下ハーフ２ａには、図２及び図５に示すように、位置決め受部２２が設けられている。この位置決め受部２２はインシュレータ２０の第１の面に設けた第１の円形凹部２０ｃに嵌挿される中心軸部２２ａの根元部に放射状にインシュレータ２０を受けるリブ２２ｂを形成して構成されている。このリブ２２ｂは、本例では、四方向に十字状に四本形成してある。一方上ハーフ２ｂの内面側には、図６に示すようにインシュレータ２０の第１の面と反対側の第２の面に設けた第２の円形凹部２０ｂに対応して押え部２３が円形突部状に形成されている。
【００２０】
このように構成される本体キャビネット２内にディスク装置１５を内蔵し、固定するには、図６に示すように、ディスク装置１５のベースシャーシ１６に取付けたインシュレータ２０をキャビネットシャーシとしての下ハーフ２ａに設けた位置決め受部２２に、その中心軸部２２ａに第１の円形凹部２０ｃを嵌挿して下面側を十字状のリブ２２ｂ上に当接して載置し、この状態で下ハーフ２ａ上に上ハーフ２ｂを対応させて内面側の押え部２３をインシュレータ２０の第２の円形凹部２０ｂに嵌合して下ハーフ２ａと上ハーフ２ｂを合体する。
【００２１】
これにより、ディスク装置１５は、本体キャビネット２内において、インシュレータ２０が下ハーフ２ａと上ハーフ２ｂにより挟持された状態で固定される。すなわち、ディスク装置１５は、インシュレータ２０を介して固定される。そして、この状態でインシュレータ２０は下面側前面が下ハーフ２ａ側に密着されることなく、位置決め受部２２の十字状のリブ２２ｂに載置して受けられるので、下ハーフ２ａ側に対して接触面積が小さくなる。
【００２２】
従って、インシュレータ２０は本体キャビネット２に対して半固定状態となってその拘束が適度に緩められてインシュレータ２０自体の保有するダンパー効果が効率良く引き出されてディスク装置１５の耐振特性が向上する。
【００２３】
以上のように構成されるこの実施の形態における本体キャビネット２に対してディスク装置１５をインシュレータ２０を介して支持固定する支持固定機構と他の２種類の支持固定機構とを比較のために耐振試験を行った。
【００２４】
第１の試験サンプルの支持固定機構として、図７及び図８に示すように、キャビネットシャーシ３１に設けるインシュレータの位置決め受部３２は、キャビネットシャーシ３１に中心軸部３２ａを立設し、この中心軸３２ａの根元部を囲繞してキャビネットシャーシ３１にゴムシートをリング状にフォーミングしたリング状ゴムスペーサー３２ｂを接着紙３２ｃを介して貼着して構成したもので、これをゴムスペーサー品という。
【００２５】
第２の試験サンプルの支持固定機構として図９及び図１０に示すように、キャビネットシャーシ４１に設けるインシュレータの位置決め受部４２は、キャビネットシャーシ４１に立設される中心軸部４２ａの根元部に一体に円盤状に隆起した載置部４２ｂを形成して構成したもので、これをキャビ円盤状変更品という。
【００２６】
この第１と第２の試験サンプルであるゴムスペーサー品とキャビ円盤状変更品を準備し、それぞれに、前述した図６に示す本例の場合と同様にディスク装置をインシュレータを介して支持固定する。
そして、このようにディスク装置を支持固定したゴムスペーサー品、キャビ円盤状変更品と本例品にそれぞれディスクに対するトラッキング方向の振動とフォーカス方向の振動を印加しながらＤＶＤディスクを再生して読み取り不能になったポイントをプロットする。
【００２７】
この耐振試験により、トラッキング方向の振動においては図１１に示すような結果が得られ、また、フォーカス方向の振動においては図１２に示すような結果が得られた。
【００２８】
以上の結果からディスク装置に取付けたインシュレータの位置決め受部は、本例の位置決め受部２２、すなわち、中心軸部２２ａの根元部にインシュレータ２０を受けるリブ２２ｂを十字状に形成したものが最も理想的であることが確認された。
【００２９】
これは、図７に示すゴムスペーサー品、すなわち、インシュレータの位置決め受け部３２のインシュレータ受け部分をリング状ゴムスペーサー３２ｂで形成した場合は、必要以上に弾性変形が生じることになり、かえって振動が大きくなって耐振動特性が低下するものと考えられる。また、図８に示すキャビ円盤状変更品、すなわち、インシュレータの位置決め受部４２のインシュレータ受け部分を中心軸部４２ａと一体の円盤状の載置部４２ｂとして形成した場合は、インシュレータとの接触面積が大でインシュレータが必要以上に拘束されて、そのダンパー効果を充分に発揮することができないため、耐振動特性が低下するものと考えられる。
【００３０】
以上のように構成される本発明の実施の形態例のディスク装置に取付けたインシュレータ２０の位置決め受部２２は、中心軸部２２ａの根元部に放射状に形成するリブ２２ｂは４本の十字状に限ることなく、４本以下の３本、４本以上の５本、６本等を形成しても、前述した十字状のリブ２２ｂと略同等のインシュレータ２０の支持効果を得ることができるが、図１３に示すようにインシュレータの位置決め受部２３において、中心軸部２３ａに放射状に形成するリブ２３ｂが３本の場合は、リブ２３ｂをキャビネットシャーシと一体に鋳造等により成形する際、１本のリブが欠けるようになるとインシュレータを受けることができなくなる。
【００３１】
また、図１４に示すようにインシュレータの位置決め受部２４において、中心軸部２４ａに放射状に形成するリブ２２ｂが５本、６本等、多数の場合は、成形用金型が複雑になって、金型作成費がより高くなり、製品がコスト高になる。また、リブ２２ｂを中心軸部２２ａから放射状に多数形成すると受け部は円盤状に近づくことになってインシュレータとの接触面積が大となり耐振特性が低下することになる。
【００３２】
また、インシュレータとの接触面積を小さくするために、図１５に示すように、中心軸部２５ａの根元部を囲繞してインシュレータを受けるリング状のリブ２５ｂを形成したインシュレータの位置決め受部２５も考えられ、この位置決め受部２５の場合、インシュレータとの接触面積は小さくなり、耐振特性が向上されることになるが、リブ２５ｂはインシュレータとは円周状に接触するだけで径方向には連続部分がないため高さが不安定になるおそれがあり、インシュレータの支持固定の安定性が欠けることになる。
【００３３】
以上、本発明の実施の形態を説明したが、本発明はこの実施の形態に限定されるものではなく、本発明の趣旨を逸脱しない範囲で種々変更できるものである。
【００３４】
すなわち、上記した実施の形態において示した各部の具体的な形状及び構造は、何れも本発明を実施するに際しての具体化のほんの一例を示したものに過ぎず、これらによって本発明の技術的範囲が限定的に解釈されることがあってはならないものである。
【００３５】
そして、本発明はＤＶＤプレーヤーに限ることなく、例えば、上記実施の形態においては、光学ディスクを情報記録媒体として用いた記録及び／又は再生装置についての例について説明したが、光磁気ディスク、フロッピーディスク、ハードディスクなどの磁気ディスクを用いたもの、磁気テープを用いたものなどに適用することができる。
【００３６】
更に、上記実施の形態においては、ＤＶＤプレーヤーに適用した例について説明したが、このような記録再生装置を内蔵したビデオカメラなどの携帯用機器やハンドヘルコンピュータなどの情報用機器など、各種の電子機器に適用できることは勿論である。
【００３７】
【発明の効果】
以上のように本発明によるディスク装置の支持固定機構は、メカデッキシャーシに対してディスク装置を支持するインシュレータはメカデッキシャーシ面には直接圧接されず、位置決め受部の放射状の受部で受けられることにより、拘束が適度に緩められてダンパー効果が引き出されることになり、ディスク装置のインシュレータによる耐振特性が向上される。
【００３８】
従って、振動を受けながらの光学ディスクの記録及び／又は再生が可能になり、携帯用の光学ディスクプレーヤーや、振動を受ける自動車などの乗り物の中で光学ディスクを記録及び／又は再生するディスク装置を設計する上で有利である。
【００３９】
特に、インシュレータの位置決め受部を略十字状のリブにより形成することにより耐振特性が一層向上する。
【図面の簡単な説明】
【図１】本発明を適用した一例のＤＶＤプレーヤーの斜視図である。
【図２】図１に示すＤＶＤプレーヤーにおけるディスク装置のキャビネットシャーシ側の取付部に対する分解斜視図である。
【図３】図２に示すディスク装置の支持部のインシュレータを取外した状態の斜視図である。
【図４】図３において、ディスク装置の支持部にインシュレータを取付けた状態の斜視図である。
【図５】キャビネットシャーシ側の位置決め受部の斜視図である。
【図６】ディスク装置を本体キャビネット内に支持固定した状態の支持固定部の断面図である。
【図７】比較第１例のインシュレータ位置決め受部の斜視図である。
【図８】図７に示すインシュレータ位置決め受部の断面図である。
【図９】比較第２例のインシュレータ位置決め受部の斜視図である。
【図１０】図９に示すインシュレータ位置決め受部の断面図である。
【図１１】トラッキング方向の耐振動特性を表わすグラフである。
【図１２】フォーカス方向の耐振動特性を表わすグラフである。
【図１３】インシュレータ位置決め受部の第１の変形例の斜視図である。
【図１４】インシュレータ位置決め受部の第２の変形例の斜視図である。
【図１５】インシュレータ位置決め受部の第３の変形例の斜視図である。
【符号の説明】
１‥‥ＤＶＤプレーヤー、２‥‥本体キャビネット、２ａ‥‥下ハーフ（キャビネットシャーシ）、２ｂ‥‥上ハーフ、１５‥‥ディスク装置、１６‥‥ベースシャーシ、１７‥‥ターンテーブル、１８‥‥光学ピックアップ装置、２０‥‥インシュレータ、２１‥‥取付片、２２‥‥位置決め受部、２２ａ‥‥中心軸部、２２ｂ‥‥リブ
【図１】
0004265090.tif 000002
【図２】
0004265090.tif 000003
【図３】
0004265090.tif 000004
【図４】
0004265090.tif 000005
【図５】
0004265090.tif 000006
【図６】
0004265090.tif 000007
【図７】
0004265090.tif 000008
【図８】
0004265090.tif 000009
【図９】
0004265090.tif 000010
【図１０】
0004265090.tif 000011
【図１１】
0004265090.tif 000012
【図１２】
0004265090.tif 000013
【図１３】
0004265090.tif 000014
【図１４】
0004265090.tif 000015
【図１５】
0004265090.tif 000016